(57)【要約】【課題】発信時に、着信側のユーザに対して発信側のユーザが独自の自己表現を行うことのできる電話システムを提供すること。【解決手段】携帯電話１０１，１０４が電話網１０２を介して互いに通信を行ったり、ＩＰ網１０３を介して音声や画像等の情報を送受信することのできるシステムであって、携帯電話１０１が携帯電話１０４に対して発信した際には、電話網１０２を介して確立したリンクの一部及びＩＰ網１０３を介して画像や音声等のデータを送信することにより、着信側の携帯電話１０４は、着信中に受信した画像や音声等を表示または出力する。【選択図】　　図１
2004040225.tif 000002
【特許請求の範囲】
【請求項１】
着信時に、発信側の電話機から送信された情報を着信側の電話機が表示または出力する電話システムであって、
所望の電話機に発信した後、当該電話機と確立したリンクを介して、発信側のユーザが作成または取得した情報を送信する発信側の電話機と、
前記発信側の電話機からの着信を示す動作を行うと共に、前記発信側の電話機から前記リンクを介して送信された情報を表示または出力する着信側の電話機と、
を備えたことを特徴とする電話システム。
【請求項２】
前記発信側の電話機は、電話網を介して発信を行い、ＩＰ網を介して前記情報を送信することを特徴とする請求項１記載の電話システム。
【請求項３】
前記情報は画像データであり、
前記着信側の電話機は、前記発信側の電話機からの着信を示す動作を行うと共に、前記発信側の電話機から前記リンクを介して送信された画像データの画像を表示することを特徴とする請求項１または２記載の電話システム。
【請求項４】
前記情報は音声データであり、
前記着信側の電話機は、前記発信側の電話機から前記リンクを介して送信された音声データの音声を出力することを特徴とする請求項１または２記載の電話システム。
【請求項５】
請求項１〜４のいずれか一項記載の電話システムにおける前記発信側の電話機を構成する電話機。
【請求項６】
請求項１〜４のいずれか一項記載の電話システムにおける前記着信側の電話機を構成する電話機。
【発明の詳細な説明】
【０００１】
【発明の属する技術分野】
本発明は、発信時に、着信側のユーザに対して発信側のユーザが独自の自己表現を行うことのできる電話システムに関する。
【０００２】
【従来の技術】
携帯電話または固定電話を用いてユーザが他のユーザに電話をかける際、発信側の電話機からは当該電話機に割り当てられている電話番号が送信され、着信側の電話機はこの発信側の電話番号を表示する。着信側のユーザは、当該表示された電話番号、またはこの電話番号が予め氏名と共に登録されているのであればその氏名を参照することによって、誰からの着信かを事前に確認することができる。
【０００３】
【発明が解決しようとする課題】
このように、発信時に送信される情報としては発信側の電話番号だけであり、発信側のユーザ自身が新たに作成したり取得した情報を発信時に送信可能な仕組みとはなっていなかった。しかしながら、近年のユーザニーズの多様化により、ユーザが作成または取得した画像や音声などの情報を送信することによって、発信側のユーザが着信先のユーザに対して独自の自己表現を行いたいという要望が聞かれるようになった。
【０００４】
本発明は、上記従来の事情に鑑みてなされたものであって、発信時に、着信側のユーザに対して発信側のユーザが独自の自己表現を行うことのできる電話システムを提供することを目的としている。
【０００５】
【課題を解決するための手段】
本発明に係る電話システムは、着信時に、発信側の電話機から送信された情報を着信側の電話機が表示または出力する電話システムであって、所望の電話機に発信した後、当該電話機と確立したリンクを介して、発信側のユーザが作成または取得した情報を送信する発信側の電話機と、前記発信側の電話機からの着信を示す動作を行うと共に、前記発信側の電話機から前記リンクを介して送信された情報を表示または出力する着信側の電話機と、を備えたものである。したがって、発信時に、着信側のユーザに対して発信側のユーザが独自の自己表現を行うことが可能となる。
【０００６】
また、本発明に係る電話システムは、前記発信側の電話機は、電話網を介して発信を行い、ＩＰ網を介して前記情報を送信するものである。
【０００７】
また、本発明に係る電話システムは、前記情報は画像データであり、前記着信側の電話機は、前記発信側の電話機からの着信を示す動作を行うと共に、前記発信側の電話機から前記リンクを介して送信された画像データの画像を表示するものである。したがって、発信時に、着信先のユーザに対して発信側のユーザが画像による独自の自己表現を行うことが可能となる。
【０００８】
また、本発明に係る電話システムは、前記情報は音声データであり、前記着信側の電話機は、前記発信側の電話機から前記リンクを介して送信された音声データの音声を出力するものである。したがって、発信時に、着信先のユーザに対して発信側のユーザが音声による独自の自己表現を行うことが可能となる。
【０００９】
本発明に係る電話機は、請求項１〜４のいずれか一項において、電話システムにおける前記発信側の電話機を構成するものである。
【００１０】
本発明に係る電話機は、請求項１〜４のいずれか一項において、電話システムにおける前記着信側の電話機を構成するものである。
【００１１】
【発明の実施の形態】
以下、本発明に係る電話システムの実施の形態について、〔第１の実施形態〕、〔第２の実施形態〕の順に図面を参照して詳細に説明する。図１は、本発明の第１及び第２の実施形態に係る電話システムを示す構成図である。同図に示すように、第１及び第２の実施形態の電話システムは、携帯電話１０１，１０４が電話網１０２を介して互いに通信を行ったり、ＩＰ網１０３を介して音声や画像等のデータを送受信することのできるシステムである。特に、携帯電話が他の携帯電話に対して発信した際には、電話網１０２を介して確立したリンクの一部及びＩＰ網１０３を介して画像や音声等のデータを送信することにより、着信側の携帯電話は、着信中に受信した画像や音声等を表示または出力する。
【００１２】
なお、上記電話網１０２を介して確立したリンクの一部とは、発信側携帯電話と当該携帯電話が利用している基地局１０５との間の通信路、及び着信側携帯電話と当該携帯電話が利用している基地局１０６との間の通信路である。
【００１３】
〔第１の実施形態〕
以下、第１の実施形態の電話システムについて説明する。本実施形態では、携帯電話（以下「発信側携帯電話」という。）１０１が携帯電話（以下「着信側携帯電話」という。）１０４に対して発信した際、発信側携帯電話１０１はＩＰ網１０３を介して画像データを着信側携帯電話１０４に送信する。なお、発信側携帯電話１０１は特許請求の範囲の「発信側の電話機」に該当し、着信側携帯電話１０４は「着信側の電話機」に該当する。
【００１４】
以下、本実施形態の電話システムを構成する各携帯電話の動作について、図２を参照して詳細に説明する。
まず、発信側携帯電話１０１は、電話網１０２を介して着信側携帯電話１０４に発信する（ステップＳ１０１）。次に、発信側携帯電話１０１は、発信者によって予め指定された画像データを着信側携帯電話１０４に送信する（ステップＳ１０２）。なお、ステップＳ１０１によって、発信側携帯電話１０１と着信側携帯電話１０４との間には図１に示した基地局１０５，１０６および電話網１０２を介したリンクが確立されるが、ステップＳ１０２では、当該リンクの一部、すなわち発信側携帯電話１０１と基地局１０５との間の通信路、及び着信側携帯電話１０４と基地局１０６との間の通信路と、ＩＰ網１０３とを介して画像データが送信される。
【００１５】
着信側携帯電話１０４では、発信側携帯電話１０１からの発信を着信する（ステップＳ１０３）と、着信音を鳴らす（ステップＳ１０４）。なお、着信側携帯電話１０４がマナーモード等に設定されている場合は、着信音は鳴らさず、バイブレータによる振動や光によって着信を示す。そして、ステップＳ１０２で発信側携帯電話１０１から送信された画像データを受信する（ステップＳ１０５）と、着信側携帯電話１０４は、当該電話機の表示部に当該画像データによる画像を表示する（ステップＳ１０６）。
【００１６】
以上説明したように、第１の実施形態の電話システムによれば、携帯電話（１０１）が他の携帯電話（１０４）に発信した後、発信側の携帯電話（１０１）から着信側の携帯電話（１０４）に画像データを送信することによって、着信側の携帯電話（１０４）には当該画像データによる画像が表示されるため、発信者は、発信時に、着信側のユーザに対して画像による独自の自己表現を行うことができる。また、着信側のユーザにとっては、表示された画像を見ることにより発信者の感情や趣味等を知ることができるため、コミュニケーション型のエンターテイメント性の高い電話システムを提供することができる。
【００１７】
〔第２の実施形態〕
次に、第２の実施形態の電話システムについて説明する。本実施形態では、携帯電話（以下「発信側携帯電話」という。）１０１が携帯電話（以下「着信側携帯電話」という。）１０４に対して発信した際、発信側携帯電話１０１はＩＰ網１０３を介して画像データを着信側携帯電話１０４に送信する。なお、発信側携帯電話１０１は特許請求の範囲の「発信側の電話機」に該当し、着信側携帯電話１０４は「着信側の電話機」に該当する。
【００１８】
以下、本実施形態の電話システムを構成する各携帯電話の動作について、図３を参照して詳細に説明する。
まず、発信側携帯電話１０１は、電話網１０２を介して着信側携帯電話１０４に発信する（ステップＳ１１１）。次に、発信側携帯電話１０１は、発信者によって予め指定された音声データを着信側携帯電話１０４に送信する（ステップＳ１１２）。なお、ステップＳ１１１によって、発信側携帯電話１０１と着信側携帯電話１０４との間には図１に示した基地局１０５，１０６および電話網１０２を介したリンクが確立されるが、ステップＳ１１２では、当該リンクの一部、すなわち発信側携帯電話１０１と基地局１０５との間の通信路、及び着信側携帯電話１０４と基地局１０６との間の通信路と、ＩＰ網１０３とを介して音声データが送信される。
【００１９】
着信側携帯電話１０４では、発信側携帯電話１０１からの発信を着信した（ステップＳ１１３）後、ステップＳ１１２で発信側携帯電話１０１から送信された音声データを受信する（ステップＳ１１４）。そして、着信側携帯電話１０４は、当該音声データによる音声を出力する（ステップＳ１１５）。
【００２０】
以上説明したように、第２の実施形態の電話システムによれば、携帯電話（１０１）が他の携帯電話（１０４）に発信した後、発信側の携帯電話（１０１）から着信側の携帯電話（１０４）に音声データを送信することによって、着信側の携帯電話（１０４）から当該音声データによる音声を出力するため、発信者は、発信時に、着信側のユーザに対して音声による独自の自己表現を行うことができる。また、着信側のユーザにとっては、出力された音声を聞くことにより発信者の趣味等を知ることができるため、コミュニケーション型のエンターテイメント性の高い電話システムを提供することができる。
【００２１】
【発明の効果】
以上説明したように、本発明に係る電話システムによれば、発信時に、着信側のユーザに対して発信側のユーザが独自の自己表現を行うことのできる電話システムを提供することができる。
【図面の簡単な説明】
【図１】本発明の第１及び第２の実施形態に係る電話システムを示す構成図である。
【図２】本発明の第１の実施形態に係る電話システムの動作を示すフローチャートである。
【図３】本発明の第２の実施形態に係る電話システムの動作を示すフローチャートである。
【符号の説明】
１０１　（発信側）携帯電話
１０４　（着信側）携帯電話
１０２　電話網
１０３　ＩＰ網
１０５，１０６　基地局
【図１】
2004040225.tif 000003
【図２】
2004040225.tif 000004
【図３】
2004040225.tif 000005